(57)【要約】【課題】回路規模を小さくすることができ、またＦＭＥＡの検討が容易になった状態設定回路を備えた電源装置を提供する。【解決手段】状態設定回路は、モード抵抗Ｒｍｏｄｅが接続されるモード端子３の電圧が基準電圧Ｖｒｅｆ０になるように制御することでモード抵抗Ｒｍｏｄｅの抵抗値に反比例した電流値の電流を生成する電流発生回路（ＯＰ１，ＭＰ０、Ｖｒｅｆ０）と、該電流発生回路で生成した電流の電流値に対応した互いに同一の電流値の電流を個別に流すトランジスタＭＰ１〜ＭＰ６と、基準電流源Ｉｒｅｆ１〜Ｉｒｅｆ６と、トランジスタＭＰ１〜ＭＰ６のドレイン電流と前記Ｎ個の基準電流源Ｉｒｅｆ１〜Ｉｒｅｆ６の電流値を個別に比較するインバータＩＮＶ１〜ＩＮＶ６とを備える。【選択図】図１
2018005647.tif 000002
【特許請求の範囲】
【請求項１】
モード端子に接続されるモード抵抗の抵抗値の設定によって動作モードの組合せを設定する状態設定回路を備えた電源装置であって、
前記状態設定回路は、前記モード端子の電圧が基準電圧になるように帰還制御することで前記モード抵抗の抵抗値に反比例した電流値の電流を生成する電流発生回路と、該電流発生回路で生成した電流の電流値に対応した互いに同一の電流値の電流を個別に流すＮ個（Ｎは２以上の整数）の電流源と、互いに異なった電流値のＮ個の基準電流源と、前記Ｎ個の電流源の電流値と前記Ｎ個の基準電流源の電流値を個別に比較するＮ個の電流比較手段とを備え、
前記Ｎ個の電流比較手段の出力信号の論理の組み合わせによって、動作モードの前記組合せが設定されるようにしたことを特徴とする電源装置。
【請求項２】
モード端子に接続されるモード抵抗の抵抗値の設定によって動作モードの組合せを設定する状態設定回路を備えた電源装置であって、
前記状態設定回路は、前記モード端子の電圧が基準電圧になるように帰還制御することで前記モード抵抗の抵抗値に反比例した電流値の電流を生成する電流発生回路と、該電流発生回路で生成した電流の電流値に対応した互いに同一の電流値の電流を個別に流すＮ−２個（Ｎは２以上の整数）の電流源と、互いに異なった電流値のＮ−２個の基準電流源と、前記Ｎ−２個の電流源の電流値と前記Ｎ−２個の基準電流源の電流値を個別に比較するＮ−２個の電流比較手段と、反転入力端子に前記基準電圧よりも低い第１電圧が印加され非反転入力端子が前記モード端子に接続された第１コンパレータと、反転入力端子に前記基準電圧よりも高い第２電圧が印加され非反転入力端子が前記モード端子に接続された第２コンパレータとを備え、
前記Ｎ−２個の電流比較手段の出力信号と前記第１及び第２コンパレータの出力信号の論理の組み合わせによって、動作モードの前記組合せが設定されるようにしたことを特徴とする電源装置。
【請求項３】
請求項１又は２に記載の電源装置において、
前記電流発生回路は、反転入力端子と非反転入力端子の一方が前記モード端子に接続され前記反転入力端子と前記非反転入力端子の他方に前記基準電圧が入力するオペアンプと、ゲートが前記オペアンプの出力端子に接続されドレインが前記モード端子に接続され前記モード端子の電圧を前記基準電圧に一致させるように動作する基準トランジスタとで構成され、
前記電流源は、前記基準トランジスタと同一導電型で且つ前記基準トランジスタにゲートが共通接続された電流源トランジスタで構成され、
前記電流比較手段は、前記電流源トランジスタの電流と前記基準電流源の電流との差分の極性によって論理を決めるインバータで構成されている、
ことを特徴とする電源装置。
【請求項４】
請求項１に記載の電源装置において、
前記Ｎ個の基準電流源を同じ抵抗値の抵抗に置き換えたことを特徴とする電源装置。
【請求項５】
請求項２に記載の電源装置において、
前記Ｎ−２個の基準電流源を同じ抵抗値の抵抗に置き換えたことを特徴とする電源装置。
【発明の詳細な説明】
【技術分野】
【０００１】
本発明は、外付けのモード抵抗の設定等によって動作モードの組合せ（以下、「状態」と呼ぶこともある）を設定する状態設定回路を備えた電源装置に関する。
【背景技術】
【０００２】
汎用性の高い電源装置では複数の動作モードが設定可能となっており、ユーザはその複数の動作モードのうちから使用アプリケーションに応じた動作モードの組み合わせを選択できるようになっている。この種の技術は、例えば特許文献１に記載されている。
【０００３】
例えば、電圧変換方式では、スイッチング電源方式とシリーズレギュレータ方式の一方が選択可能になっている（第１グループ）。また、過電流保護方式では、過電流が所定値に達すると所定時間経過後に出力電圧を遮断するタイマラッチ方式と、過電流が所定値に達すると一定時間だけ出力電圧を遮断してその後ある時間が経過すると出力電圧を復帰させることを繰り返すヒカップ（自動復帰）方式の一方が選択可能となっている（第２グループ）。さらに、出力電圧についても複数の電圧から１個の電圧が選択可能となっている（第３グループ）。
【０００４】
これら第１乃至第３グループから１個づつ動作モードを選び出してそれらを組み合わせる組合せの数はきわめて多くなる。例えば、１つのグループに２つの動作モードがある場合は、８通りの組合せが可能である。しかし、ユーザにおいてそれら動作モードの組合せを設定することは煩わしい。そこで、これらの動作モードの複数の組合せから１つの組合せを簡単に選択するための状態設定回路が望まれる。
【０００５】
図７は状態設定回路の一例を示す図であり、動作モードの７つの組合せから１つの組合せを選択して設定できるようにした回路である。１は電源端子、２は接地端子、３はモード端子、６はデコーダである。
【０００６】
ＣＰ１〜ＣＰ６はコンパレータであり、それぞれ反転入力端子に基準電圧源Ｖｒｅｆ１〜Ｖｒｅｆ６（電圧値は、Ｖｒｅｆ１＞Ｖｒｅｆ２＞Ｖｒｅｆ３＞Ｖｒｅｆ４＞Ｖｒｅｆ５＞Ｖｒｅｆ６の関係にある）が接続されている。
【０００７】
コンパレータＣＰ１〜ＣＰ６の非反転入力端子には、モード端子３に印加するモード電圧Ｖｍｏｄｅが入力している。さらに、コンパレータＣＰ１〜ＣＰ６の出力端子ＯＵＴ１〜ＯＵＴ６の信号がデコーダ６に入力されている。
【０００８】
このデコーダ６は、出力端子ＯＵＴ１〜ＯＵＴ６の信号の論理の組み合わせをデコーダして、動作モードの７つの組合せのうちから１つの組合せを指定する例えば３ビットの状態設定信号ＭＯＤＥを出力する。
【０００９】
図８、図９にデコーダ６の内容の一例を示した。モード端子３に印加するモード電圧Ｖｍｏｄｅを所定の電圧値に設定することによって、組合せの状態ＭＯＤＥ１〜ＭＯＤＥ７のうちの１つを選択することができる。
【００１０】
図１０は別の状態設定回路の例である。この回路では、基準電流源Ｉｒｅｆ０から流れる電流Ｉｒｅｆ０をモード端子３と接地端子２との間に接続したモード抵抗Ｒｍｏｄｅの抵抗値によって電圧に変換して、コンパレータＣＰ１〜ＣＰ６の非反転入力端子に入力している。この回路では、モード抵抗Ｒｍｏｄｅの抵抗値を適宜設定することによって、組合せの状態ＭＯＤＥ１〜ＭＯＤＥ７のうちの１つを選択することができる。
【先行技術文献】
【特許文献】
【００１１】
【特許文献１】特許第５５１１５６４号
【発明の概要】
【発明が解決しようとする課題】
【００１２】
ところが、図７、図１０に示した状態設定回路は、コンパレータＣＰ１〜ＣＰ６を使用するものであり、それらのコンパレータは多くのトランジスタで構成する必要があるので、コンパレータの数が多くなるほど、回路規模が大きくなる問題がある。
【００１３】
また、モード端子３と接地端子２との間に印加するモード電圧Ｖｍｏｄｅを切り替えて、あるいはモード抵抗Ｒｍｏｄｅを切り替えて、動作モードの組合せを選択する方式であるので、モード端子３の隣接ピンと接触する短絡、接地端子２と接触する地絡、電源端子１と接触する天絡等のＦＭＥＡ（Failure Mode and Effect Analysis）の検討の際に、モード電圧Ｖｍｏｄｅの電圧値やモード抵抗Ｒｍｏｄｅの抵抗値を場合分けして、それぞれを検討する必要ある。例えば、図７、図１０に示すように基準電圧源としてＶｒｅｆ１〜Ｖｒｅｆ６の６個を使用する場合には、モード電圧Ｖｍｏｄｅやモード抵抗Ｒｍｏｄｅは７個の電圧値や抵抗値を使用することになるので、７つの場合に分けて検討する必要があり、現実的でなく、３個程度の動作モードを選択するに留まっている。そのため、例えば８通りの動作モードの選択を行う場合には、３個の状態設定回路が必要となる。
【００１４】
本発明の目的は、回路規模を小さくすることができ、またＦＭＥＡの検討が容易になった状態設定回路を備えた電源装置を提供することである。
【課題を解決するための手段】
【００１５】
上記目的を達成するために、請求項１にかかる発明の電源装置は、モード端子に接続されるモード抵抗の抵抗値の設定によって動作モードの組合せを設定する状態設定回路を備えた電源装置であって、前記状態設定回路は、前記モード端子の電圧が基準電圧になるように帰還制御することで前記モード抵抗の抵抗値に反比例した電流値の電流を生成する電流発生回路と、該電流発生回路で生成した電流の電流値に対応した互いに同一の電流値の電流を個別に流すＮ個（Ｎは２以上の整数）の電流源と、互いに異なった電流値のＮ個の基準電流源と、前記Ｎ個の電流源の電流値と前記Ｎ個の基準電流源の電流値を個別に比較するＮ個の電流比較手段とを備え、前記Ｎ個の電流比較手段の出力信号の論理の組み合わせによって、動作モードの前記組合せが設定されるようにしたことを特徴とする。
【００１６】
請求項２にかかる発明の電源装置は、モード端子に接続されるモード抵抗の抵抗値の設定によって動作モードの組合せを設定する状態設定回路を備えた電源装置であって、前記状態設定回路は、前記モード端子の電圧が基準電圧になるように帰還制御することで前記モード抵抗の抵抗値に反比例した電流値の電流を生成する電流発生回路と、該電流発生回路で生成した電流の電流値に対応した互いに同一の電流値の電流を個別に流すＮ−２個（Ｎは２以上の整数）の電流源と、互いに異なった電流値のＮ−２個の基準電流源と、前記Ｎ−２個の電流源の電流値と前記Ｎ−２個の基準電流源の電流値を個別に比較するＮ−２個の電流比較手段と、反転入力端子に前記基準電圧よりも低い第１電圧が印加され非反転入力端子が前記モード端子に接続された第１コンパレータと、反転入力端子に前記基準電圧よりも高い第２電圧が印加され非反転入力端子が前記モード端子に接続された第２コンパレータとを備え、前記Ｎ−２個の電流比較手段の出力信号と前記第１及び第２コンパレータの出力信号の論理の組み合わせによって、動作モードの前記組合せが設定されるようにしたことを特徴とする。
【００１７】
請求項３にかかる発明は、請求項１又は２に記載の電源装置において、前記電流発生回路は、反転入力端子と非反転入力端子の一方が前記モード端子に接続され前記反転入力端子と前記非反転入力端子の他方に前記基準電圧が入力するオペアンプと、ゲートが前記オペアンプの出力端子に接続されドレインが前記モード端子に接続され前記モード端子の電圧を前記基準電圧に一致させるように動作する基準トランジスタとで構成され、前記電流源は、前記基準トランジスタと同一導電型で且つ前記基準トランジスタにゲートが共通接続された電流源トランジスタで構成され、前記電流比較手段は、前記電流源トランジスタの電流と前記基準電流源の電流との差分の極性によって論理を決めるインバータで構成されている、ことを特徴とする。
【００１８】
請求項４にかかる発明は、請求項１に記載の電源装置において、前記Ｎ個の基準電流源を同じ抵抗値の抵抗に置き換えたことを特徴とする。
【００１９】
請求項５にかかる発明は、請求項２に記載の電源装置において、前記Ｎ−２個の基準電流源を同じ抵抗値の抵抗に置き換えたことを特徴とする。
【発明の効果】
【００２０】
本発明によれば、インバータを使用できるので、回路規模を小さくすることができる。また、外部から電圧を印加せずにモードを設定することができるので、ＦＭＥＡの検討が容易になる。
【図面の簡単な説明】
【００２１】
【図１】本発明の第１実施例の状態設定回路の回路図である。
【図２】図１の状態設定回路のデコーダの内容説明図である。
【図３】図１の状態設定回路の基準電流値と組合せの関係を示す説明図である。
【図４】本発明の第２実施例の状態設定回路の回路図である。
【図５】図４の状態設定回路のデコーダの内容説明図である。
【図６】図５の状態設定回路の基準電流値及び基準電圧値と組合せの関係を示す説明図である。
【図７】状態設定回路の一例の回路図である。
【図８】図７の状態設定回路のデコーダの内容説明図である。
【図９】図７の状態設定回路の基準値とモードの関係を示す説明図である。
【図１０】別の状態設定回路の一例の回路図である。
【発明を実施するための形態】
【００２２】
＜第１の実施例＞
図１に第１実施例の状態設定回路を示す。１は電源端子、２は接地端子、３はモード端子、４はデコーダである。ＯＰ１はオペアンプであり、非反転入力端子はモード端子３に接続され、反転入力端子には基準電圧源Ｖｒｅｆ０の基準電圧Ｖｒｅｆ０が入力され、出力端子はＰＭＯＳトランジスタＭＰ０のゲートに接続されている。
【００２３】
これにより、オペアンプＯＰ１の非反転入力端子の電圧が反転入力端子の基準電圧Ｖｒｅｆ０に一致するようにトランジスタＭＰ０が帰還制御される。これによって生成したトランジスタＭＰ０のドレイン電圧Ｖｒｅｆ０が、モード端子３と接地端子２との間に接続されたモード抵抗Ｒｍｏｄｅに印加して、モード電流Ｉｍｏｄｅが流れる。このモード電流ＩｍｏｄｅはトランジスタＭＰ０のドレイン電流でもある。
【００２４】
トランジスタＭＰ０のゲートには、トランジスタＭＰ０とサイズ比が同じ６個のＰＭＯＳトランジスタＭＰ１〜ＭＰ６のゲートが共通接続されており、このため、それらのトランジスタＭＰ１〜ＭＰ６のドレイン電流もモード電流Ｉｍｏｄｅと同じとなる。
【００２５】
そして、トランジスタＭＰ１〜ＭＰ６のドレインと接地端子２との間には、基準電流源Ｉｒｅｆ１〜Ｉｒｅｆ６（電流値はＩｒｅｆ１＜Ｉｒｅｆ２＜Ｉｒｅｆ３＜Ｉｒｅｆ４＜Ｉｒｅｆ５＜Ｉｒｅｆ６の関係にある）がそれぞれ接続されており、各トランジスタＭＰ１〜ＭＰ６と各基準電流源Ｉｒｅｆ１〜Ｉｒｅｆ６の共通接続点には、インバータＩＮＶ１〜ＩＮＶ６の入力端子がそれぞれ接続されている。それらインバータＩＮＶ１〜ＩＮＶ６の出力端子ＯＵＴ１〜ＯＵＴ６はデコーダ４に接続されている。デコーダ４からは、出力端子ＯＵＴ１〜ＯＵＴ６の論理の組合せに応じて、例えば３ビットの状態設定信号ＭＯＤＥが出力する。
【００２６】
なお、請求項記載の基準トランジスタはトランジスタＭＰ０で、電流源トランジスタはトランジスタＭＰ１〜ＭＰ６で構成されている。電流発生回路は、オペアンプＯＰ１、トランジスタＭＰ０、基準電圧源Ｖｒｅｆ０、及びモード抵抗Ｒｍｏｄｅで構成されている。また、電流比較手段はインバータＩＮＶ１〜ＩＮＶ６で構成されている。
【００２７】
以上から、モード抵抗Ｒｍｏｄｅの抵抗値をＲ１に設定することで、Ｉｍｏｄｅ＜Ｉｒｅｆ１になると、インバータＩＮＶ１〜ＩＮＶ６の入力端子はすべて“Ｌ”となるので、その出力端子ＯＵＴ１〜ＯＵＴ６はすべて“Ｈ”となる（ＭＯＤＥ１）。
【００２８】
次に、モード抵抗Ｒｍｏｄｅの抵抗値をＲ２（Ｒ２＜Ｒ１）に設定することで、Ｉｒｅｆ１＜Ｉｍｏｄｅ＜Ｉｒｅｆ２になると、インバータＩＮＶ１の入力端子は“Ｈ”になり、残りのインバータＩＮＶ２〜ＩＮＶ６の入力端子は“Ｌ”となるので、ＯＵＴ１は“Ｌ”、ＯＵＴ２〜ＯＵＴ６はすべて“Ｈ”となる（ＭＯＤＥ２）。
【００２９】
また、モード抵抗Ｒｍｏｄｅの抵抗値をＲ３（Ｒ３＜Ｒ２）に設定することで、Ｉｒｅｆ２＜Ｉｍｏｄｅ＜Ｉｒｅｆ３になると、インバータＩＮＶ１，ＩＮＶ２の入力端子は“Ｈ”になり、残りのインバータＩＮＶ３〜ＩＮＶ６の入力端子は“Ｌ”となるので、ＯＵＴ１、ＯＵＴ２は“Ｌ”、ＯＵＴ３〜ＯＵＴ６は“Ｈ”となる（ＭＯＤＥ３）。
【００３０】
また、モード抵抗Ｒｍｏｄｅの抵抗値をＲ４（Ｒ４＜Ｒ３）に設定することで、Ｉｒｅｆ３＜Ｉｍｏｄｅ＜Ｉｒｅｆ４になると、インバータＩＮＶ１〜ＩＮＶ３の入力端子は“Ｈ”になり、インバータＩＮＶ４〜ＩＮＶ６の入力端子は“Ｌ”となるので、ＯＵＴ１〜ＯＵＴ３は“Ｌ”、ＯＵＴ４〜ＯＵＴ６は“Ｈ”となる（ＭＯＤＥ４）。
【００３１】
また、モード抵抗Ｒｍｏｄｅの抵抗値をＲ５（Ｒ５＜Ｒ４）に設定することで、Ｉｒｅｆ４＜Ｉｍｏｄｅ＜Ｉｒｅｆ５になると、インバータＩＮＶ１〜ＩＮＶ４の入力端子は“Ｈ”になり、インバータＩＮＶ５，ＩＮＶ６の入力端子は“Ｌ”となるので、ＯＵＴ１〜ＯＵＴ４は“Ｌ”、ＯＵＴ５，ＯＵＴ６は“Ｈ”となる（ＭＯＤＥ５）。
【００３２】
また、モード抵抗Ｒｍｏｄｅの抵抗値をＲ６（Ｒ６＜Ｒ５）に設定することで、Ｉｒｅｆ５＜Ｉｍｏｄｅ＜Ｉｒｅｆ６になると、インバータＩＮＶ１〜ＩＮＶ５の入力端子は“Ｈ”になり、インバータＩＮＶ６の入力端子は“Ｌ”となるので、ＯＵＴ１〜ＯＵＴ５は“Ｌ”、ＯＵＴ６は“Ｈ”となる（ＭＯＤＥ６）。
【００３３】
最後に、モード抵抗Ｒｍｏｄｅの抵抗値をＲ７（Ｒ７＜Ｒ６）に設定することで、Ｉｒｅｆ６＜Ｉｍｏｄｅになると、インバータＩＮＶ１〜ＩＮＶ６の入力端子はすべて“Ｈ”になるので、ＯＵＴ１〜ＯＵＴ６はすべて“Ｌ”となる（ＭＯＤＥ７）。
【００３４】
以上の結果、モード抵抗Ｒｍｏｄｅの抵抗値Ｒ１〜Ｒ７のうちから１つ選定すれば、図２、図３に示すように動作モードの組合せＭＯＤＥ１〜ＭＯＤＥ７のいずれか１つを設定することができる。このとき、モード端子３の電圧は基準電圧Ｖｒｅｆ０から変化しないので、前記した短絡、地絡、天絡等のＦＭＥＡの検討が容易となる。また、複数の電圧を作成するには電源電圧を分圧することが行われるが、その電源電圧が状態設定回路用の電源電圧と定格が異なる場合には異なる電源電圧を用意しなければならないので煩雑となるが、本実施例ではモード端子に電圧源を接続する必要がないので、その煩雑さはない。また、インバータＩＮＶ１〜ＩＮＶ６や基準電流源Ｉｒｅｆ１〜Ｉｒｅｆ６を構成する場合は、図７で説明した状態設定回路のコンパレータＯＰ１〜ＯＰ６を構成する場合に比べて素子の数が少なくなるので、状態設定回路の回路規模を小さくすることができる。
【００３５】
＜第２実施例＞
図４に第２実施例の状態設定回路を示す。１は電源端子、２は接地端子、３はモード端子、５はデコーダである。本実施例では、図１で説明したオペアンプＯＰ１、トランジスタＭＰ０〜ＭＰ４、インバータＩＮＶ１〜ＩＮＶ４、基準電圧源Ｖｒｅｆ０、基準電流源Ｉｒｅｆ１〜Ｉｒｅｆ４、及びモード抵抗Ｒｍｏｄｅによる第１回路部分と、コンパレータＣＰ１、ＣＰ２、基準電圧源Ｖｒｅｆ１，Ｖｒｅｆ２、及びモード電圧Ｖｍｏｄｅによる第２回路部部分を、組み合わせたものである。基準電流源の電流値はＩｒｅｆ１＜Ｉｒｅｆ２＜Ｉｒｅｆ３＜Ｉｒｅｆ４の関係に設定されている。基準電圧源の電圧値はＶｒｅｆ２＜Ｖｒｅｆ０＜Ｖｒｅｆ１の関係に設定されている。デコーダ５には、インバータＩＮＶ１〜ＩＮＶ４の出力端子ＯＵＴ１〜ＯＵＴ４と、コンパレータＣＰ１，ＣＰ２の出力端子ＯＵＴ５，ＯＵＴ６が接続されている。
【００３６】
本実施例では、モード抵抗Ｒｍｏｄｅの抵抗値をＲ１〜Ｒ５のいずれかに設定すれば、図５のＭＯＤＥ１〜ＭＯＤＥ５のいずれかを設定することができる。このとき、インバータＩＮＶ１〜ＩＮＶ４の出力端子ＯＵＴ１〜ＯＵＴ４は第１実施例と同じとなる。ただし、Ｖｒｅｆ１＞Ｖｒｅｆ０であるので、コンパレータＣＰ１の出力ＯＵＴ５は“Ｌ”となり、Ｖｒｅｆ２＜Ｖｒｅｆ０であるので、コンパレータＣＰ２の出力ＯＵＴ６は“Ｈ”となる。
【００３７】
次に、モード端子３と接地端子２の間のモード抵抗Ｒｍｏｄｅを取り外して、そこにモード電圧Ｖｍｏｄｅを印加したときは、Ｖｒｅｆ１＜Ｖｍｏｄｅに設定すれば、コンパレータＣＰ１，ＣＰ２の出力端子ＯＵＴ５，ＯＵＴ６が“Ｈ”となる。また、このときは、Ｖｒｅｆ０＜Ｖｍｏｄｅであるので、トランジスタＭＰ１〜ＭＰ４のドレイン電流が小さくなり、インバータＩＮＶ１〜ＩＮＶ４の入力端子は“Ｌ”となり、その出力端子ＯＵＴ１〜ＯＵＴ４は“Ｈ”となる。このときは図５のＭＯＤＥ６が実現される。
【００３８】
次に、Ｖｍｏｄｅ＜Ｖｒｅｆ２に設定すれば、コンパレータＣＰ１，ＣＰ２の出力端子ＯＵＴ５，ＯＵＴ６が“Ｌ”となる。また、このときは、Ｖｍｏｄｅ＜Ｖｆｅｒ０であるので、トランジスタＭＰ１〜ＭＰ４のドレイン電流が大きくなり、インバータＩＮＶ１〜ＩＮＶ４の入力端子は“Ｈ”となり、その出力端子ＯＵＴ１〜ＯＵＴ４は“Ｌ”となる。このときは図５のＭＯＤＥ７が実現される。
【００３９】
以上の結果、ＭＯＤＥ１〜ＭＯＤＥ５のいずれかを設定するときは、抵抗値Ｒ１〜Ｒ５のうちから選定した１つのモード抵抗Ｒｍｏｄｅをモード端子３に接続すればよく、ＭＯＤＥ６、ＭＯＤＥ７のいずれかを設定するときは、電圧Ｖｒｅｆ１より高い又は電圧Ｖｒｅｆ２より低いモード電圧Ｖｍｏｄｅをモード端子３に印加すればよい。
【００４０】
第１実施例は、６種類の基準電流源Ｉｒｅｆ１〜Ｉｒｅｆ６を用意する必要があり、それらの電流値には比較的大きな差を設けなければならないので、動作モードの組合せの数が増えると消費電流が増大する懸念がある。これに対し、本実施例では、状態設定回路を第１回路部分と第２回路部分に分けて、第１回路部分において基準電流源の数を減らすことができるので、消費電流の増大を抑制することができる。このとき、第２回路部分にコンパレータＣＰ１，ＣＰ２を使用するがその数が２個であるので、回路規模が大きくなる懸念は少ない。
【００４１】
＜その他の実施例＞
なお、以上の実施例では、ＰＭＯＳのトランジスタＭＰ０〜ＭＰ６を使用したが、これらをＮＭＯＳトランジスタに置き換えることもできる。この場合は、オペアンプＯＰ１の反転入力端子をモード端子３に接続し非反転入力端子に基準電圧源Ｖｒｅｆ０を接続すればよい。また、基準電流源Ｉｒｅｆ１〜Ｉｒｅｆ６は同一の抵抗値の固定抵抗に置き換えることができる。また、インバータＩＮＶ１〜ＩＮＶ６としては、２個の閾値を設けてヒステリシスを付与したインバータを使用すれば、安定的な電流比較を行うことができる。
【符号の説明】
【００４２】
１：電源端子、２：接地端子、３：モード端子、４〜６：デコーダ
【図１】
2018005647.tif 000003
【図２】
2018005647.tif 000004
【図３】
2018005647.tif 000005
【図４】
2018005647.tif 000006
【図５】
2018005647.tif 000007
【図６】
2018005647.tif 000008
【図７】
2018005647.tif 000009
【図８】
2018005647.tif 000010
【図９】
2018005647.tif 000011
【図１０】
2018005647.tif 000012